(57)【要約】【課題】液晶パネルの周縁に隙間を生じさせることなく、液晶パネルを容易に取り付けることができる液晶パネル付遊技機の提供。【解決手段】液晶パネル16の前面に取り付けられたカバー部材26と、前扉４の開口に設けられた窓部材27との間にクッション材29を介装し、液晶表示ユニット20を前扉４に固定すると、カバー部材26と窓部材27との間に介装されたクッション材29が圧縮状態となるようにする。【選択図】    図２
2005168567.tif 000002
【特許請求の範囲】
【請求項１】
前面に設けられた画面に様々な画像の表示が可能となっている液晶パネルを備え、前記画面が外側を向いた状態で前記液晶パネルが筐体の前扉に内側から取り付けられている液晶パネル付遊技機であって、
前記液晶パネルの前記画面を保護するために前記液晶パネルの前記前面に取り付けられたカバー部材と、
前記液晶パネルの前記画面を外部に見せるために前記前扉に開けられた開口に設けられた窓部材と、
前記カバー部材及び前記窓部材との間に介装されるとともに、前記カバー部材の周縁に沿って枠状に配置されたクッション材とを備えたものであることを特徴とする液晶パネル付遊技機。
【請求項２】
前記カバー部材の前記窓部材側に配置された前面には、当該前面の周縁に沿って延びる突条が突設され、この突条は、その側面が前記クッション材の側面と接することにより前記クッション材の取り付けを案内する取付案内面となっていることを特徴とする請求項１記載の液晶パネル付遊技機。
【請求項３】
前記液晶パネルを内部に収納するケース部材が設けられ、前記カバー部材は、前記ケース部材の前記窓部材に面した開口を塞ぐ蓋体とされ、前記ケース部材には、前記液晶パネルを前記カバー部材に向かって付勢する弾性手段が一体成形されていることを特徴とする請求項２記載の液晶パネル付遊技機。
【請求項４】
前記カバー部材と前記窓部材とは、前記クッション材を挟持するように、一方が他方に近づく方向に押圧された状態で前記前扉に取り付けられていることを特徴とする請求項１から請求項３までのいずれかに記載の液晶パネル付遊技機。
【発明の詳細な説明】
【技術分野】
【０００１】
本発明は、液晶パネルが筐体の前扉に取り付けられ、その画面に様々な映像を表示することができる液晶パネル付遊技機に関するものである。
【背景技術】
【０００２】
従来から、スロットマシンやパチンコ遊技機等の遊技機は、人々に娯楽を提供するための手段として利用されている。
例えば、スロットマシンは、複数種類の図柄が記されるとともに回転駆動可能に設けられた複数の回転リールを備えた遊技機である。このようなスロットマシンでは、メダルを投入してから、スタートレバー等を操作して、回転リールを一斉にスタートさせることにより、遊技が開始される。そして、回転駆動させた複数の回転リールを適宜停止させ、これらの回転リールに表示された図柄が特定の組合せとなったときに入賞となる。
【０００３】
そして、遊技機は、入賞を引き当てた遊技者に、入賞した役に応じた数のメダルや遊技球を払い出すことにより、遊技者を楽しませるようになっている。
また、遊技機としては、その画面に様々な映像の表示が可能となった大型の液晶パネルが、その前扉に取り付けられた液晶パネル付遊技機が利用されている。そして、このような液晶パネルが取り付けられた遊技機によれば、遊技中に様々な情報を遊技者に提供できるうえ、遊技者が入賞した際に、入賞役の演出に最適な画像を表示でき、遊技者をさらに遊技に没入させることが可能となる（例えば、特許文献１参照。）。
【特許文献１】特開２００１−３５３２５７号公報（図１）
【発明の開示】
【発明が解決しようとする課題】
【０００４】
前述のような液晶パネル付遊技機では、液晶パネルをネジで前扉に取り付けているが、液晶パネルが大きい程ネジ止め箇所がより多くなり、取付作業が面倒になるという問題がある。
一方、ネジ止め箇所を減らせば、取付作業は容易になるが、液晶パネルのサイズに対して充分な数のネジ止め箇所が確保されていないと、液晶パネルの周縁が部分的に前扉から僅かに離れて隙間が形成され、この隙間により外観的な不具合が発生するうえ、隙間から内部に埃が入るという構造的な不具合も発生するという問題が生じる。
そこで、各請求項にそれぞれ記載された各発明は、上記した従来の技術の有する問題点に鑑みてなされたものであり、その目的とするところは、液晶パネルの周縁に隙間を生じさせることなく、液晶パネルを容易に取り付けることができる液晶パネル付遊技機を提供することである。
【課題を解決するための手段】
【０００５】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、前面に設けられた画面に様々な画像の表示が可能となっている液晶パネル(16)を備え、前記画面が外側を向いた状態で前記液晶パネル(16)が筐体(２)の前扉(４)に内側から取り付けられている液晶パネル付遊技機(１)であって、前記液晶パネル(16)の前記画面を保護するために前記液晶パネル(16)の前記前面に取り付けられたカバー部材(26)と、前記液晶パネル(16)の前記画面を外部に見せるために前記前扉(４)に開けられた開口に設けられた窓部材(27)と、前記カバー部材(26)及び前記窓部材(27)との間に介装されるとともに、前記カバー部材(26)の周縁に沿って枠状に配置されたクッション材(29)とを備えたものであることを特徴とする。
【０００６】
（請求項２）
（特徴点）
請求項２記載の発明は、前述した請求項１に記載の発明において、次の特徴点を備えているものである。
すなわち、請求項２記載の発明は、前記カバー部材(26)の前記窓部材(27)側に配置された前面(26A) には、当該前面(26A) の周縁に沿って延びる突条(26C) が突設され、この突条(26C) は、その側面が前記クッション材(29)の側面と接することにより前記クッション材(29)の取り付けを案内する取付案内面となっていることを特徴とする。
【０００７】
（請求項３）
（特徴点）
請求項３記載の発明は、前述した請求項２記載の発明において、次の特徴点を備えているものである。
すなわち、請求項３記載の発明は、前記液晶パネル(16)を内部に収納するケース部材(22)が設けられ、前記カバー部材(26)は、前記ケース部材(22)の前記窓部材(27)に面した開口を塞ぐ蓋体とされ、前記ケース部材(22)には、前記液晶パネル(16)を前記カバー部材(26)に向かって付勢する弾性手段(28A, 28B)が一体成形されていることを特徴とする。
【０００８】
（請求項４）
（特徴点）
請求項４記載の発明は、前述した請求項１から請求項３までのいずれかに記載の発明において、次の特徴点を備えているものである。
すなわち、請求項４記載の発明は、前記カバー部材(26)と前記窓部材(27)とが、前記クッション材(29)を挟持するように、一方が他方に近づく方向に押圧された状態で前記前扉(４)に取り付けられていることを特徴とするものである。
【発明の効果】
【０００９】
（請求項１の効果）
以上のように構成されている本発明は、以下に記載されるような効果を奏する。
すなわち、請求項１記載の発明によれば、液晶パネルの前面に取り付けられたカバー部材と、前扉の開口に設けられた窓部材との間にクッション材が介装されているので、ネジ止め等により液晶パネルを固定するにあたり、カバー部材と窓部材との間に介装されたクッション材が圧縮状態となるように、液晶パネルの固定を行うことにより、ネジ止め箇所等の固定箇所が少なくとも、液晶パネルの周縁に隙間が生じることがない。
従って、隙間による外観的な不具合や、隙間から内部に埃が入るという構造的な不具合を未然に防止できるうえ、ネジ止め箇所等の固定箇所を少なくすることで、取付作業が簡略化され、液晶パネルを容易に取り付けることができる。
【００１０】
（請求項２の効果）
請求項２記載の発明によれば、上記した請求項１記載の発明の効果に加え、次のような効果を奏する。
すなわち、請求項２記載の発明によれば、両面粘着テープや接着剤等でクッション材をカバー部材に取り付ける際に、カバー部材の突条がクッション材の取り付けを案内するので、カバー部材の突条に沿わせてクッション材を取り付けていけば、カバー部材の前面の周縁に沿ってクッション材を容易に取り付けることができるようになり、クッション材の取付作業を容易にすることができる。
【００１１】
そのうえ、滑らかな平面となったテーブル面を備えた作業テーブルの上で、カバー部材にクッション材を取り付ける作業等を行う場合、カバー部材の平坦な部分が高精度に平面出され、突条が形成されていない状態でカバー部材をテーブル面の上に置くと、平坦な部分がテーブル面に密着し、カバー部材がテーブル面に強く吸着され、カバー部材をテーブル面から取り上げることが困難になってしまう。
しかしながら、カバー部材の前面には、前述のように周縁に沿って突条が設けられ、カバー部材の表面とテーブル面との間に必ず隙間が存在するようにしてあるので、カバー部材の表面とテーブル面とが密着せず、カバー部材がテーブル面に強く付着することがなく、カバー部材をテーブル面から容易に取り上げることができる。
【００１２】
また、カバー部材の表面とテーブル面との間に必ず隙間が存在するので、テーブル面に硬質且つ微細な異物が付着していても、異物がカバー部材に触れることがなく、カバー部材の表面に傷が付くことがなくなり、カバー部材の表面の損傷を未然に防止することができる。
（請求項３の効果）
請求項３記載の発明によれば、上記した請求項２記載の発明の効果に加え、次のような効果を奏する。
すなわち、請求項３記載の発明によれば、液晶パネルは、カバー部材とは反対側に配置された背面側の弾性手段と、カバー部材の前面側のクッション材とに挟持された状態となるので、前扉を勢いよく閉鎖した際等に強い衝撃が発生しても、当該衝撃がクッション材及び弾性手段により緩和されるので、液晶パネルに強い衝撃が加わることがなくなり、衝撃による液晶パネルの故障を防止することができる。
【００１３】
（請求項４の効果）
請求項４記載の発明によれば、上記した請求項１から請求項３までのいずれかに記載の発明の効果に加え、次のような効果を奏する。
すなわち、請求項４記載の発明によれば、窓部材を先に前扉に接合すると、液晶パネル及びカバー部材を窓部材に固定することが困難な構造であっても、窓部材を介してカバー部材を前扉に接合するのとは異なり、カバー部材は、窓部材とは別に前扉に固定されるので、液晶パネル及びカバー部材を前扉に容易に取り付けることができる。
この際、カバー部材及び窓部材の製作時に発生した寸法誤差や、接合等による取付作業時に発生した取付位置の誤差が生じても、カバー部材と窓部材との間に介装されたクッション材が、前述の寸法誤差及び取付位置誤差を吸収するので、窓部材及びカバー部材の一方を先に前扉に取り付けた後に他方を前扉に取り付けても、窓部材及びカバー部材の各取付作業を容易に行うことができる。
【発明を実施するための最良の形態】
【００１４】
図１ないし図５は、本実施形態を示すものである。図１は、本実施形態に係る液晶パネル付遊技機を示す正面図、図２は、本実施形態の要部を示す拡大断面図、図３は、本実施形態に係る液晶表示ユニットを示す平面図、図４は、本実施形態の液晶表示ユニットを示す側面図、図５は、本実施形態に係る液晶表示ユニットの取付手順を説明するための模式図である。
本実施形態に係る液晶パネル付遊技機としてのスロットマシン１は、図１の如く、直方体の箱状に形成された筐体２を備えている。この筐体２の内部には、３個の回転リール3Aが横並びに設けられたリールユニット３等の遊技用装置が設けられている。なお、回転リール3Aの各々は、リールユニット３に回転駆動可能に設けられ、且つ、それぞれの周面に複数種類の図柄が記されたものとなっている。
【００１５】
また、筐体２の前面開口部には、そのほぼ中央にリール窓4Aを備えた前扉４が当該前面開口部を覆うように設けられている。
リール窓4Aは、３個の回転リール3Aに記された図柄を外部に露出させるための窓であり、３個すべての回転リール3Aの回転が停止した際に、縦横３個ずつ配列された計９個の図柄が表示できるように形成されている。
具体的には、左側の回転リール3Aの回転が停止すると、リール窓4Aの左側部分の上段、中段及び下段にそれぞれ１個ずつ、合計３個の図柄が表示されるようになっている。中央及び右側の回転リール3Aについても同様に、上段、中段及び下段にそれぞれ１個ずつ、合計３個の図柄が表示されるようになっている。これにより、３個すべての回転リール3Aの回転が停止すると、リール窓4Aには、縦横各３個の計９個からなる図柄が表示可能となっている。
【００１６】
この際、リール窓4Aに表示された縦横各３個の計９個からなる図柄の配列パターンが、いわゆる「出目」である。
リール窓4Aの下方には、メダルが投入されるメダル投入口５、貯留メダルを１枚ずつ投入するためのベットスイッチ６、貯留メダルを３枚ずつ投入するためのマックスベットスイッチ７、回転リール3Aの回転を開始させるためのスタートスイッチ８、及び、回転リール3Aの回転を停止させるためのストップスイッチ９等が設けられている。
前扉４の下部には、入賞時にメダルを払い出すための払出口10が設けられている。この払出口10の下方には、受け皿11が設けられ、払出口10の図中左右には、演出音を発する左スピーカ12及び右スピーカ13が設けられている。
【００１７】
前扉４の上部には、入賞時などに点滅する演出用ランプ14と、入賞役となる図柄の組合せ等を示す表示パネル15と、動画を含む様々な映像や情報を表示することができる液晶パネル16とが設けられている。そして、これらの演出用ランプ14、表示パネル15及び液晶パネル16は、前扉４の上端部分を構成する前扉上部パネル17に固定されている。なお、表示パネル15は、前扉上部パネル17の周縁から離間した中央部分に配置されている。
液晶パネル16は、前面に設けられた画面に様々な映像を表示するための表示デバイスであり、動画を含んだ映像の表示を行うための液晶表示ユニット20を構成している。
また、液晶パネル16は、リール窓4Aの上方の位置において、画面が筐体２の外側を向いた状態で前扉４の内側から取り付けられている。なお、液晶パネル16の横幅は、リール窓4Aの横幅とほぼ同じ寸法となっている。
【００１８】
そして、液晶パネル16を備えた液晶表示ユニット20は、液晶パネル16と同様に、リール窓4Aの上方に配置され、且つ、横幅がリール窓4Aの横幅とほぼ同じ寸法となっている。
この液晶表示ユニット20は、図２に示すように、前述の液晶パネル16と、この液晶パネル16の表示動作を制御する表示制御基板でもあるマルチメディア処理ボード21と、これらの液晶パネル16及びマルチメディア処理ボード21を内部に収納する箱状のケース部材22とを備えたものとなっている。
ここで、ケース部材22は、内部が仕切板25により二つに区分された二層構造の透明な箱状部材である。より具体的に説明すると、ケース部材22の内部には、仕切板25により、スロットマシン１の表側に配置された液晶パネル16を収納する液晶パネル室22A と、裏側のマルチメディア処理ボード21を収納する制御デバイス室22B とが形成されている。
【００１９】
ケース部材22は、液晶パネル室22A における仕切板25と対向する面が開口されたものになっている。そして、このケース部材22の開口には、当該開口を塞ぐ蓋体を兼用するカバー部材26が設けられている。
カバー部材26は、液晶パネル16に臨む一面が開口された略六面体状に形成された箱状部材である。
ここで、ケース部材22の仕切板25には、その周縁に沿って延びる側壁部25B が立設されている。カバー部材26は、その内部に側壁部25B を嵌合させることにより、ケース部材22に取り付けられている。さらに、カバー部材26は、開口周囲の端縁がケース部材22の表面に接した位置から、ケース部材22と離間する方向へ移動可能となっている。
【００２０】
また、カバー部材26は、液晶パネル16の画面表面を保護するために、液晶パネル16の前面に取り付けられる保護部材にもなっている。
すなわち、カバー部材26の表側の面、換言すると、後述する窓部材27側に配置された前面26Aは、液晶パネル16の前面全体を覆うとともに、光学的に歪みが著しく小さくなるように、高精度に平面が出された透明平板状部分26B により構成されている。
このようなカバー部材26の前面26Aには、当該前面の周縁に沿って延びる突条26C が突設されている。
ケース部材22の仕切板25には、図２〜図４に示すように、液晶パネル16をカバー部材26に向かって付勢する弾性手段として、弾性押圧片28A, 28Bが一体成形されている。
【００２１】
弾性押圧片28A は、仕切板25をＵ字形に切り欠いた切り欠き部25A の内側に形成された一文字状の弾性体である。この弾性押圧片28A の先端には、液晶パネル16に向かって突出するとともに、液晶パネル16の裏面に当接する半球状の当接部28C が設けられている。
弾性押圧片28B は、仕切板25をＵ字形に切り欠いた切り欠き部25A の内側に形成された側面形状略Ｌ字状の弾性体である。
この弾性押圧片28B は、仕切板25から液晶パネル16に向かって突出する第１腕部28D と、この第１腕部28D の先端から仕切板25と平行に延びる第２腕部28E とを備えている。この第２腕部28E の先端には、液晶パネル16に向かって突出するとともに、液晶パネル16の裏面に当接する半球状の当接部28C が設けられている。
【００２２】
ケース部材22の表側には図２の如く、室内照明等の光が液晶パネル16の画面に入射して反射するのを防止するために、筒状の画面用フードカバー23が取り付けられている。この画面用フードカバー23の表面側の開口は、液晶パネル16の画面を保護するために、平板状に形成された無色透明のシールド部材24により塞がれている。
画面用フードカバー23及びシールド部材24は、液晶パネル16の画面を外部に見せるために、前扉４に開けられた開口に設けられた窓部材27を形成するものとなっている。
ここで、窓部材27の画面用フードカバー23を固定するには、例えば、前扉４に設けられた厚肉面状フレーム31に固定する固定構造が採用できる。このような固定構造の一例を、以下に説明する。
【００２３】
すなわち、前扉４には、扉としての構造を維持するのに充分な剛性を確保するために、構造体として合成樹脂製の厚肉面状フレーム31が設けられている。この厚肉面状フレーム31には、筐体２の外側へ延びる複数の支持ブラケット31A と、これらの支持ブラケット31A の間に架け渡された支持桟31B とが設けられている。
一方、窓部材27側の画面用フードカバー23には、ネジ止め用に形成された略円筒状のボス23B が突設されている。窓部材27は、支持桟31B を貫通するとともに、画面用フードカバー23のボス23B と螺合するネジ31C により厚肉面状フレーム31に固定されている。
そして、窓部材27に備えられた画面用フードカバー23の内側の端縁とカバー部材26との間には、図２及び図４の如く、柔軟性及び弾性の両方を有するクッション材29が介装されている。
【００２４】
このクッション材29は、カバー部材26の前面26A の周縁に沿って四角枠状に配置され、環状を形成した状態で、カバー部材26の前面26A に接着されている。また、クッション材29は、長方形状の断面形状を備えたものとされている。
ここで、前述したカバー部材26の前面26A に立設された突条26C は、クッション材29の取り付けを案内する部位である。すなわち、突条26C の一方の側面は、当該側面にクッション材29の側面を接することにより、クッション材29の取り付けを案内する取付案内面となっている。
また、画面用フードカバー23のカバー部材26側に配置された端縁部分には、クッション材29を覆うためのフランジ部23A が全周に渡って設けられている。このフランジ部23A により、窓部材27から内部を覗いても、クッション材29が見えないようになっている。
【００２５】
以上において、スロットマシン１には、液晶表示ユニット20をスロットマシン１の前扉４に取り付けるための取付構造が設けられている。
この取付構造は、図２〜図４に示すように、液晶表示ユニット20の下端縁の近傍部分を前扉４に支持させるための軸支手段30と、液晶表示ユニット20の上端縁の近傍部分を前扉４に係止させる係止手段40と、係止手段40が係止している液晶表示ユニット20の上端縁の近傍部分を前扉４に固定する固定手段50とを備えたものとなっている。
軸支手段30は、液晶表示ユニット20の画面左右に配置された側面20A から突出する軸部32と、厚肉面状フレーム31において軸部32と対向する部分に設けられるとともに、軸部32を支持するための軸受部33とを備えたものとなっている。
【００２６】
このうち、軸受部33は、軸部32が挿通可能な上向きの開口を有する溝状の断面を有するものとなっている。
係止手段40は、液晶表示ユニット20の画面上方に配置された上面20B から突出する係止突起部41と、前扉４の厚肉面状フレーム31を貫通するように設けられるとともに、その内部に挿通された係止突起部41を係止するための係止孔42とを備えたものとなっている。
このうち、係止突起部41は、短冊状に形成された平板を略Ｌ字形状に折り曲げた全体形状を有するものである。この係止突起部41には、係止孔42への挿通方向に沿って延びる弾性変形可能な腕部43と、この腕部43の先端に設けられている楔状の係止部44とが備えられている。係止部44には、係止突起部41の挿通方向に対して傾斜して係止孔42の内部への挿通を案内する挿通案内面45と、前述の挿通方向と交差して係止孔42の周囲の部位46に係止される係止面47とが設けられている。
【００２７】
固定手段50は、液晶表示ユニット20の上面20B の両端縁近傍に設けられた一対の耳部51と、この耳部51を貫通する挿通孔52と、この挿通孔52に挿通されるとともに、厚肉面状フレーム31の螺合孔53に螺合するネジ54とを備えたものである。
このような取付構造では、液晶表示ユニット20を前扉４に取り付けるのに先立ち、窓部材27を前扉４の厚肉面状フレーム31に取り付けておくとともに、カバー部材26の前面26A にクッション材29を取り付けておく。
これらの窓部材27及びクッション材29の取付作業等の先行作業がすべて完了したら、まず、図５（Ａ）に示すように、厚肉面状フレーム31に設けた軸受部33に、液晶表示ユニット20の軸部32を係止し、軸受部33に液晶表示ユニット20を支持させ、この状態で、軸部32を回動中心にして、液晶表示ユニット20の上端縁側が厚肉面状フレーム31に近づくように、液晶表示ユニット20の回動を開始する。
【００２８】
液晶表示ユニット20を回動させることにより、係止突起部41の係止部44が係止孔42に挿通され、さらに、図５（Ｂ）に示すように、係止孔42の周囲の部位46に係止部44が係止されたら、液晶表示ユニット20の回動を終了し、これにより、液晶表示ユニット20が前扉４の厚肉面状フレーム31に仮止めされる。
次に、耳部51の挿通孔52に挿通したネジ54を回転操作し、当該ネジ54を厚肉面状フレーム31の螺合孔53に螺合させ、図５（Ｃ）に示すように、液晶表示ユニット20の耳部51が厚肉面状フレーム31の表面に密着するまで、ネジ54を締め付け、耳部51が厚肉面状フレーム31の表面に密着したら、液晶表示ユニット20の前扉４へ取り付けが完了する。
【００２９】
ここにおいて、ネジ54を回転操作して締め付けることにより、カバー部材26が窓部材27に近づく方向に押圧され、クッション材29は、カバー部材26及び窓部材27に圧縮状態で挟持され、これにより、カバー部材26と窓部材27との間に形成される隙間を塞ぎ、当該隙間を解消するものとなっている。なお、カバー部材26と窓部材27とは、クッション材29との摩擦力で係止・固定され、カバー部材26と窓部材27とを直接接合する接合手段は省略されている。
前述のような本実施形態によれば、次のような効果が得られる。
すなわち、液晶パネル16の前面に取り付けられたカバー部材26と、前扉４の開口に設けられた窓部材27との間にクッション材29を介装し、液晶パネル16を備えた液晶表示ユニット20をネジ54で固定するにあたり、カバー部材26と窓部材27との間に介装されたクッション材29が圧縮状態となるようにしたので、ネジ54による固定箇所が少なくとも、液晶パネル16の周縁に隙間が生じることがない。
【００３０】
従って、隙間による外観的な不具合や、隙間から内部に埃が入るという構造的な不具合を未然に防止できるうえ、ネジ54による固定箇所を少なくすることで、取付作業が簡略化され、液晶パネル16を備えた液晶表示ユニット20を容易に取り付けることができる。
また、カバー部材26の前面26A の周縁に沿って延びる突条26C を設け、両面粘着テープや接着剤等でカバー部材26にクッション材29を取り付ける際に、カバー部材26の突条26C がクッション材29の取り付けを案内するので、カバー部材26の突条26C に沿わせてクッション材29を取り付けていけば、カバー部材26の前面26A の周縁に沿ってクッション材29を容易に取り付けることができるようになり、クッション材29の取付作業を容易にすることができる。
【００３１】
さらに、光学的に歪みが著しく小さくなるように、高精度に平面が出された透明平板状部分26B でカバー部材26の前面26A を構成したので、カバー部材26を通して見える液晶パネル16の画像の歪みを著しく小さくでき、カバー部材26を通しても、液晶パネル16の画像品質が損なわれることがなく、良好な状態の画像を遊技者に見せることができる。
しかも、カバー部材26の前面26A に突条26C を設け、作業テーブルの滑らかな平面となったテーブル面にカバー部材26を置いた際に、カバー部材26の表面とテーブル面との間に必ず隙間が存在するようになる。これにより、カバー部材26の表面とテーブル面とが密着せず、カバー部材26がテーブル面に強く付着することがなくなるので、カバー部材26をテーブル面から容易に取り上げることができ、ひいては、液晶表示ユニット20の組立作業を容易にすることができる。
【００３２】
また、カバー部材26の表面とテーブル面との間に必ず隙間が存在するので、テーブル面に硬質且つ微細な異物が付着していても、これらの異物がカバー部材26に触れることがなく、異物がカバー部材26の表面に傷を付けることもなく、カバー部材26の表面の損傷を未然に防止することができる。
さらに、カバー部材26の前面26A にクッション材29を設け、液晶パネル16の背面側の仕切板25に弾性押圧片28A, 28Bを設け、これら弾性を有するクッション材29及び弾性押圧片28A, 28Bの間に液晶パネル16を挟持した状態にしたので、前扉４を勢いよく閉鎖した際等に強い衝撃が発生しても、当該衝撃がクッション材29及び弾性押圧片28A, 28Bにより緩和されるので、液晶パネル16に強い衝撃が加わることがなくなり、衝撃による液晶パネル16の故障を防止することができる。
【００３３】
また、カバー部材26及び窓部材27をそれぞれ別個に前扉４に固定し、カバー部材26と窓部材27との直接接合を省略したので、窓部材27を先に前扉４に接合すると、液晶パネル16及びカバー部材26を窓部材27に固定することが困難であっても、窓部材27を介してカバー部材26を前扉４に接合するのとは異なり、窓部材27が既に取り付けられている前扉４に液晶パネル16及びカバー部材26を容易に取り付けることができる。
この際、カバー部材26及び窓部材27の製作時に発生した寸法誤差や、接合等による取付作業時に発生した取付位置の誤差が生じても、カバー部材26と窓部材27との間に介装されたクッション材29が、前述の寸法誤差及び取付位置誤差を吸収するので、カバー部材26及び窓部材27の一方を先に前扉４に取り付けた後に他方を前扉に取り付けても、カバー部材26及び窓部材27の各取付作業を容易に行うことができる。
【００３４】
なお、本発明は、前記実施形態に限定されるものではなく、本発明の目的を達成できる範囲における変形及び改良などをも含むものである。
例えば、クッション材としては、カバー部材側に接着されたものに限らず、窓部材側に接着されたものでもよく、要するに、カバー部材及び窓部材の両方が前扉に取り付けられているとともに、これらのカバー部材及び窓部材の間にクッション材が介装された状態において、カバー部材の周縁に沿って枠状にクッション材が配置されていればよい。
また、液晶パネル付遊技機としては、スロットマシンに限らず、遊技場で利用されるパチンコ機、ゲームセンターで利用されるアーケードゲーム機でもよく、要するに、画面に様々な映像を映しだして演出を行ったり、各種情報の表示を行ったりするための液晶パネルを備えた遊技機であればよい。
【図面の簡単な説明】
【００３５】
【図１】本発明の一実施形態に係る遊技機であるスロットマシンを示す正面図である。
【図２】前記実施形態の要部を示す拡大断面図である。
【図３】前記実施形態に係る液晶表示ユニットを示す平面図である。
【図４】前記実施形態の液晶表示ユニットを示す側面図である。
【図５】前記実施形態に係る液晶表示ユニットの取付手順を説明するための模式図である。
【符号の説明】
【００３６】
１  液晶パネル付遊技機としてのスロットマシン
２  筐体
４  前扉
16  液晶パネル
22  ケース部材
26  カバー部材
26A 前面
26C 突条
27  窓部材
28A, 28B  弾性手段としての弾性押圧片
29  クッション材
【図１】
2005168567.tif 000003
【図２】
2005168567.tif 000004
【図３】
2005168567.tif 000005
【図４】
2005168567.tif 000006
【図５】
2005168567.tif 000007